(57)【要約】【課題】再生される映像を基に、ユーザ間でより深い議論や考察ができるような映像再生システムを提供する。【解決手段】映像再生システム１は、映像データを記録媒体４に記録する映像提供部２と、映像提供部２により記録された映像データを再生し、再生中にユーザからテキストデータの入力を受け付けるテキスト受付部５ａ、５ｂと、前記テキストデータおよび対応する前記再生位置を、前記ユーザの識別情報とともに取得し、前記映像データを再生するとともに、前記再生位置で、前記テキストデータを、映像データで再生される映像とともに表示する再生部３とを備え、再生部３は、ユーザごとにテキストデータの表示の有無または表示態様を制御するテキスト制御部３１を含む。【選択図】図１
2014053776.tif 000002
【特許請求の範囲】
【請求項１】
映像データを、当該映像データの任意の再生位置にテキストデータを対応づけることが可能な形式で記録媒体に記録する映像提供部と、
前記映像提供部により記録された映像データを再生し、再生中にユーザからテキストデータの入力を受け付け、ユーザから入力された前記テキストデータを、前記テキストデータに対応する前記映像データの再生位置を示す情報と対応付けて記録するテキスト受付部と、
前記テキスト受付部で記録された前記テキストデータおよび対応する前記再生位置を、前記テキストデータを入力したユーザの識別情報とともに取得し、前記映像データを再生するとともに、前記再生位置で、前記テキストデータを、映像データで再生される映像とともに表示する再生部とを備え、
前記再生部は、前記識別情報で示されるユーザごとに前記テキストデータの表示の有無または表示態様を制御する、テキスト制御部を含む、映像再生システム。
【請求項２】
前記映像提供部は、撮像装置で撮影されて得られた映像データを、当該映像データの任意の再生位置にテキストデータを対応づけることが可能な形式の映像データに変換する変換部を含む、請求項１に記載の映像再生システム。
【請求項３】
前記テキスト受付部は、前記テキストデータの入力とともに、予め設定された観点のうち少なくとも１つの選択を受け付け、前記テキストデータに選択された観点を示す情報を対応付けて記録し、
前記テキスト制御部は、前記観点ごとに、前記テキストデータの表示の有無または表示態様を制御する、請求項１または２に記載の映像再生システム。
【請求項４】
前記映像提供部は、映像提供操作者から、前記ユーザによるテキストデータ入力を支援する支援情報の入力を受け付け、当該支援情報を前記映像データに対応付けて記録する支援情報設定部を含む、請求項１〜３のいずれか１項に記載の映像再生システム。
【請求項５】
任意の再生位置にテキストデータを対応づけることが可能な形式で記録された映像データと、前記映像データの再生中にユーザから入力されたテキストデータと、前記テキストデータに対応する前記映像データの再生位置を示す情報と、前記ユーザの識別情報とを取得し、前記映像データを再生するとともに、前記再生位置で、前記テキストデータを、映像データで再生される映像とともに表示する再生部を備える、再生装置であって、
前記再生部は、前記識別情報で示されるユーザごとに前記テキストデータの表示の有無または表示態様を制御するテキスト制御部を含む、再生装置。
【請求項６】
任意の再生位置にテキストデータを対応づけることが可能な形式で記録された映像データを記録媒体から読み出す処理と、
前記映像データの再生中にユーザから入力されたテキストデータと、前記テキストデータに対応する前記映像データの再生位置を示す情報と、前記ユーザの識別情報とを取得する処理と、
前記識別情報で示されるユーザごとに前記テキストデータの表示の有無または表示態様を制御するテキスト制御処理と、
映像データを再生するとともに、前記テキスト制御処理の制御に従って、前記再生位置で、前記テキストデータを、映像データで再生される映像とともに表示する処理とをコンピュータに実行させる、再生プログラム。
【請求項７】
コンピュータが実行する再生方法であって、
任意の再生位置にテキストデータを対応づけることが可能な形式で記録された映像データを記録媒体から読み出す工程と、
前記映像データの再生中にユーザから入力されたテキストデータと、前記テキストデータに対応する前記映像データの再生位置を示す情報と、前記ユーザの識別情報とを取得する工程と、
前記識別情報で示されるユーザごとに前記テキストデータの表示の有無または表示態様を制御するテキスト制御工程と、
映像データを再生するとともに、前記テキスト制御工程の制御に従って、前記再生位置で前記テキストデータを映像データで再生される映像とともに表示する工程とを含む、再生方法。
【発明の詳細な説明】
【技術分野】
【０００１】
本発明は、映像データの再生において、ユーザにより入力されたテキストを、再生される映像とともに表示する映像再生技術に関する。
【背景技術】
【０００２】
近年、映像コンテンツの再生時に、ユーザが入力したコメントをその映像とあわせて表示するシステムが開発されている。例えば、下記特許文献１では、動画配信サーバと、動画に対するコメントを配信するコメント配信サーバと、複数の端末装置とがネットワークを介して接続されたコメント配信システムが開示されている。このコメント配信システムでは、コメント配信サーバが、コメント付与時間とコメントを複数の端末装置から受信して記憶しておく。端末装置は、動画配信サーバから受信した動画データを再生して動画を表示するとともに、コメント配信サーバから受信したコメントのうち、動画の再生時間に対応するコメント付与時間のコメントを動画とともに再生する。
【先行技術文献】
【特許文献】
【０００３】
【特許文献１】特開２０１１−１９３５３５号公報
【発明の概要】
【発明が解決しようとする課題】
【０００４】
上記従来技術では、例えば、１つの動画コンテンツに多数のユーザがコメントを付与した場合、多数のコメントが動画の再生とともに次々に表示されるため、誰がどのようなコメントをしたかを認識するのが困難になる。また、コメントの数が増えると、コメントの内容も多様になり、互いに関連性がないコメントが多く含まれるようになる。そのため、１つの動画コンテンツに多数のコメントが付与され、動画再生時に表示されても、ユーザ間で、動画コンテンツに関して深い議論や考察をすることは困難であることが多かった。
【０００５】
そこで、本願は、再生される映像を基にした、ユーザ間でのより深い議論や考察を促すことができる映像再生技術について開示する。
【課題を解決するための手段】
【０００６】
本発明の一例である映像再生システムは、映像データを、当該映像データの任意の再生位置にテキストデータを対応づけることが可能な形式で記録媒体に記録する映像提供部と、前記映像提供部により記録された映像データを再生し、再生中にユーザからテキストデータの入力を受け付け、ユーザから入力された前記テキストデータを、前記テキストデータに対応する前記映像データの再生位置を示す情報と対応付けて記録するテキスト受付部と、前記テキスト受付部で記録された前記テキストデータおよび対応する前記再生位置を、前記テキストデータを入力したユーザの識別情報とともに取得し、前記映像データを再生するとともに、前記再生位置で、前記テキストデータを、映像データで再生される映像とともに表示する再生部とを備え、前記再生部は、前記識別情報で示されるユーザごとに前記テキストデータの表示の有無または表示態様を制御する、テキスト制御部を含む。
【０００７】
なお、上記再生部を含む再生装置、コンピュータにより実行される再生方法、およびコンピュータに再生処理を実行させる再生プログラムも、本発明の実施例に含まれる。
【発明の効果】
【０００８】
本願開示によれば、再生される映像を基にした、ユーザ間でのより深い議論や考察を促すような映像の再生が可能になる。
【図面の簡単な説明】
【０００９】
【図１】実施の形態１における映像再生システムの構成例を示す図
【図２】図１に示す映像再生システムの動作例を示すフローチャート
【図３】テキスト受付部により記録されるデータの一例を示す図
【図４】テキスト制御部により対応づけられた複数のユーザのテキストデータの一例を示す図
【図５】再生部の動作例を示すフローチャート
【図６】映像再生システムのより具体的な構成例を示す図
【図７】映像再生システムの他の具体的な構成例を示す図
【図８】テキストデータを観点と対応付けて記録したデータの例を示す図
【図９】観点データの例を示す図
【図１０】映像データを再生するとともにテキストデータ入力および観点の選択を受け付ける際の画面例を示す図
【図１１】映像提供部の変形例を示す図
【図１２】図１１に示す映像提供部の動作例を示すフローチャート
【発明を実施するための形態】
【００１０】
本発明の実施形態の一例として、映像再生システムは、映像データを、当該映像データの任意の再生位置にテキストデータを対応づけることが可能な形式で記録媒体に記録する映像提供部と、前記映像提供部により記録された映像データを再生し、再生中にユーザからテキストデータの入力を受け付け、ユーザから入力された前記テキストデータを、前記テキストデータに対応する前記映像データの再生位置を示す情報と対応付けて記録するテキスト受付部と、前記テキスト受付部で記録された前記テキストデータおよび対応する前記再生位置を、前記テキストデータを入力したユーザの識別情報とともに取得し、前記映像データを再生するとともに、前記再生位置で、前記テキストデータを、映像データで再生される映像とともに表示する再生部とを備え、前記再生部は、前記識別情報で示されるユーザごとに前記テキストデータの表示の有無または表示態様を制御する、テキスト制御部を含む構成とすることができる。
【００１１】
上記構成により、映像データの再生中にユーザから入力され、再生位置に対応づけられたテキストデータを、当該再生位置にて、映像とともに表示する際に、ユーザごとにテキストデータの表示の有無または表示態様を調整することができる。そのため、ユーザ間での議論や考察を促すことが可能になる。例えば、複数のユーザから入力された複数のテキストを表示する際に、テキストの表示／非表示または表示態様をユーザごとに制御することができる。そのため、例えば、誰がどのテキストを入力したかをわかりやすく表示したり、議論や考察に有用なテキストのみ表示したりすることができる。再生映像とともにするユーザごとのテキストデータの表示の制御は、例えば、再生操作者からの入力に基づいて行うこともできるし、或いは、予め設定された制御内容に基づいて行うこともできる。
【００１２】
本発明の実施形態の一例として、前記映像提供部は、撮像装置で撮影されて得られた映像データを、当該映像データの任意の再生位置にテキストデータを対応づけることが可能な形式の映像データに変換する変換部を含むよう構成することができる。
【００１３】
映像提供部が変換部を含むので、撮影により得られた映像データの形式が、テキストデータ付加機能に対応していない形式であっても、テキストデータを付加し、任意の再生位置で映像とともに表示することができる形式に変換することができる。
【００１４】
本発明の実施形態の一例として、前記テキスト受付部は、前記テキストデータの入力とともに、予め設定された観点のうち少なくとも１つの選択を受け付け、前記テキストデータに選択された観点を示す情報を対応付けて記録し、前記テキスト制御部は、前記観点ごとに、前記テキストデータの表示の有無または表示態様を制御するよう構成することができる。
【００１５】
テキスト受付部が、テキストデータとともに観点の選択も受け付けて、テキスト制御部が、観点ごとに、映像再生時のテキストの表示を制御することで、観点ごとに整理されたテキスト表示が可能になる。そのため、より深い議論や考察を促すことが可能になる。観点は、例えば、テキストデータで示されるコメントが何に関するものかを表す情報とすることができる。観点は、例えば、コメントの分類またはカテゴリを表す情報であってもよい。
【００１６】
本発明の実施形態の一例として、前記映像提供部は、映像提供操作者から、前記ユーザによるテキストデータ入力を支援する支援情報の入力を受け付け、当該支援情報を前記映像データに対応付けて記録する支援情報設定部を含むよう構成することができる。
【００１７】
支援情報設定部により、テキストデータを入力するユーザに、例えば、テキストデータを書き込む観点やポイントとなる情報を伝達することができる。そのため、深い議論や考察に資する情報を、テキストデータを入力するユーザへ伝えることができる。
【００１８】
（実施の形態１）
［システムの構成］
図１は、本発明の実施形態１における映像再生システムの構成例を示す図である。図１に示す映像再生システム１は、映像データを提供し、この映像データに対するコメント等のテキストデータの入力をユーザから受け付ける。映像再生システム１において、入力されたテキストデータは、操作者による再生操作の下で、映像データを再生する際に、映像とともに表示される。そのため、映像再生システム１は、映像提供部２、テキスト受付部５ａ、５ｂ、及び再生部３を備える。映像提供部２は、映像データを、テキストデータが追加可能な形式で記録媒体４に記録する。テキスト受付部５ａ、５ｂは、映像データへのコメント等のテキストデータの入力をユーザから受け付ける。再生部３は、映像データの再生とともにテキストデータを表示する。また、再生部３は、操作者からの入力に基づいて、ユーザごとに前記テキストデータの表示の有無または表示態様を制御するテキスト制御部３１を含む。
【００１９】
映像提供部２は、映像データを、この映像データの任意の再生位置にテキストデータを対応づけることが可能な形式で、記録媒体４に記録する。このような形式で記録された映像データでは、ユーザによって後から入力されたテキストデータを、映像データの任意の再生位置に対応づけることができる。これにより、映像データを再生する際に、テキストデータに対応づけられた再生位置において、このテキストデータを、映像とともに表示することができる。なお、映像データは、映像に加えて、音声の情報を含むことができる。また、映像データが記録される記録媒体４は、テキスト受付部５ａ、５ｂおよび再生部３からアクセス可能となっている。
【００２０】
映像提供部２で記録される映像データの形式は、テキスト受付部５ａ、５ｂおよび再生部３の機能に応じて決定することができる。映像データの形式は、特定のものに限定されないが、一例として、映像データのコンテナファイルフォーマットとしてＦＬＶファイルフォーマットを用いることができる。この場合、映像データの再生の途中で入力されたテキストデータを、リアルタイムで映像に重ねて表示することができる。また、テキストデータが入力されたときの映像データの再生位置に対応付けてテキストデータを記録しておくことができる。これにより、次に映像データが再生された場合に、その再生位置で、テキストデータを映像に重ねて表示することができる。
【００２１】
テキスト受付部５ａ、５ｂは、映像提供部２により記録された映像データを再生し、再生中にユーザからテキストデータの入力を受け付ける。テキスト受付部５ａ、５ｂは、ユーザから入力されたテキストデータを、テキストデータに対応する映像データの再生位置を示す情報と対応付けて記録する。テキスト受付部５ａ、５ｂは、例えば、映像データの再生中に、テキストデータが入力された時間を示すデータを、テキストデータに対応する再生位置を示す情報として、記録することができる。
【００２２】
例えば、テキストデータが入力された時間を、映像データの先頭からテキストデータが入力された時点までの再生時間で表すことができる。すなわち、映像の最初を基準時点として、基準時点からテキストデータ入力時までの再生の経過時間で、テキストデータに対応する再生位置を示すことができる。テキスト受付部５ａ、５ｂは、テキストデータおよびテキストデータが入力された時間を記録媒体４へ記録することにより、テキストデータおよび対応する再生位置を対応付けて記録することができる。なお、テキストデータに対応する映像データの再生位置を示す情報は、上記例に限られない。例えば、テキストデータの入力時にユーザから再生位置の指定を受け付けて、ユーザが指定した再生位置を、テキストデータに対応する映像データの再生位置とすることもできる。
【００２３】
図１に示す例では、２つのテキスト受付部５ａ、５ｂが設けられ、ユーザＡおよびユーザＢから、それぞれテキストデータの入力を受け付け可能となっている。このように、テキスト受付部は、複数のユーザからそれぞれテキストデータを受け付けることが可能な構成とすることができる。なお、テキスト受付部の数は２つに限られず、１つでもよいし、３つ以上でもよい。
【００２４】
再生部３は、映像データと、テキスト受付部５ａ、５ｂで入力されたテキストデータと、このテキストデータに対応する再生位置を示す情報と、テキストデータを入力したユーザの識別情報とを取得する。また、再生部３のテキスト制御部３１は、例えば、再生操作者からの入力に基づいて、前記識別情報で示されるユーザごとにテキストデータの表示の有無または表示態様を制御する。再生部３は、映像データを再生するとともに、テキスト制御部３１の制御に従って、指定された再生位置でテキストデータを映像データで再生される映像とともに表示する。
【００２５】
例えば、再生部３は、複数のユーザから入力されたテキストデータを、各テキストデータ入力時間と、各ユーザのユーザＩＤとともに、記録媒体４から取得する。再生部３は、映像データの再生時において、各テキストデータの入力時間に対応する再生時間に、各テキストデータを、再生される映像に重ねて表示する。テキスト制御部３１は、映像データの再生前または再生時に、操作者から、ユーザごとに、テキストデータの表示または非表示の指示または表示態様の指示を受け付けることができる。
【００２６】
例えば、複数のユーザから入力されたテキストデータ、テキストデータ入力時間、およびユーザＩＤを、テキストデータの入力時間に従って並べて表示することができる。この場合、テキスト制御部３１は、操作者が、所望のユーザのテキストデータを選択し、選択したテキストデータについての表示／非表示の切り換え、あるいは表示態様を入力可能にするユーザインタフェースを提供する。このようにして、テキスト制御部３１は、ユーザごとに、テキストデータの表示／非表示を設定可能としたり、ユーザごとにテキストの色を変更可能としたりすることができる。
【００２７】
テキスト制御部３１により、操作者が各ユーザのテキストデータの表示／非表示を切り替え可能にすると、再生時のテキストデータを整理して表示することが可能になる。また、ユーザごとにテキストデータの色を変更できるようにすることで、誰がどのテキストデータを入力したかをわかりやすく表示することが可能になる。
【００２８】
なお、テキスト制御部３１による、テキストデータの制御は上記例に限定されない。例えば、テキスト制御部３１は、２以上のテキストデータ同士を関連付ける設定の入力を操作者から受け付けて、再生時は、これら２以上のテキストデータが関連することが分かるように再生映像とともに表示することができる。例えば、テキスト制御部３１は、互いに関連する２つ以上のテキストデータが、同じ時間に表示されるよう制御することができる。また、２つ以上のテキストデータが関連することを示す図形、例えば、関連するテキスト間を結ぶ線、曲線、矢印などを表示することもできる。これにより、あるユーザのコメントに対する別のユーザのコメントを、その関連が分かるように表示することができる。そのため、より議論や考察を深めることが促進される。
【００２９】
あるいは、テキスト制御部３１は、映像データの再生前または再生時に、操作者からもテキストデータの入力を受け付け、操作者から入力されたテキストデータを映像とともに表示することもできる。また、操作者が入力したテキストデータもテキスト受付部５ａ、５ｂで入力されたコメントと関連付けて表示することができる構成とすることもできる。
【００３０】
また、上記例では、操作者からの入力に基づいて、映像とともに表示されるテキストデータが制御されるが、ユーザごとのテキストデータの表示の有無および表示態様の制御を、予め設定されたデータに基づいて行うこともできる。例えば、テキスト制御部３１は、予め設定された複数の色をそれぞれ複数のユーザに自動的に割り当てることができる。これにより、ユーザごとに異なる色でテキストデータが表示される。また、ユーザＩＤと、映像の属性とを対応づけて記録しておき、ユーザごとに映像の属性に応じてテキストデータの表示の有無を制御してもよい。例えば、あるユーザが入力したテキストデータは、そのユーザのユーザＩＤに対応づけられた属性の映像でのみ表示されるよう制御することができる。同様に、ユーザの属性をユーザＩＤと対応づけて記録しておき、ユーザ属性に応じて、テキストデータの表示の有無または表示態様を自動的に設定することもできる。映像の属性は、例えば、動画の種類、分類、カテゴリ、ジャンル、映像で見られる授業の科目などが挙げられる。ユーザの属性としては、例えば、年齢、性別、職業、役職、所属などが挙げられる。
【００３１】
映像再生システム１の映像提供部２、テキスト受付部５ａ、５ｂおよび再生部３は、１または複数のコンピュータにより実現することができる。例えば、映像提供部２、テキスト受付部５ａ、５ｂおよび再生部３の機能は、１または複数のプロセッサが、所定のプログラムを実行することで実現することができる。記録媒体４は、映像再生システム１を構成するコンピュータからアクセス可能であればよくその形態は特定のものに限定されない。記録媒体４は、１つのもので構成する必要は必ずしもなく、複数の記録媒体４に映像データおよびテキストデータが分散して記録される形態であってもよい。
【００３２】
［システムの動作例］
図２は、図１に示す映像再生システム１の動作例を示すフローチャートである。図２に示す例では、まず、映像提供部２が、映像データを取得する（Ｓ１）。映像データの取得処理として、例えば、映像提供部２は、ビデオカメラなどの撮像装置６で撮影された映像データを受信してもよいし、記録媒体に記録された映像データを読み込んでもよい。
【００３３】
映像提供部２は、取得した映像データを、任意の再生位置でテキストデータを追加可能な形式で記録媒体４へ記録する（Ｓ２）。映像提供部２は、映像データごとに識別情報である映像ＩＤを付与し、映像ＩＤと映像データを対応付けて記録することができる。また、映像提供部２は、取得した映像データのデータ形式を変換して記録することもできる。変換の例については後述する。
【００３４】
テキスト受付部５ａ、５ｂは、映像提供部２が記録した映像データを記録媒体４から読み出して再生を開始し、再生中に、ユーザからのテキストデータの入力を受け付ける（Ｓ３）。ユーザからテキストデータが入力されると、テキスト受付部５ａ、５ｂは、テキストデータおよびテキストデータ入力時間を、ユーザＩＤおよび映像ＩＤに対応付けて記録媒体４へ記録する。ここで、テキストデータ入力時間は、テキストデータに対応する再生位置を示すデータの一例である。ここでは、例えば、どの時間で、どの場面で、どのようなコメントが書き込まれたかを示す情報が記録される。
【００３５】
テキスト受付部５ａ、５ｂは、ユーザがテキストを書き込むことができる書き込み欄と、映像データの再生を制御することができるユーザインタフェースを提供することができる。これにより、ユーザＡ、Ｂは、例えば、テキスト受付部５ａ、５ｂが再生する映像を見ながら、気づいたことがあった場合、映像の再生を止めて、書き込み欄にコメントを書き込むことができる。
【００３６】
図３は、テキスト受付部５ａ、５ｂにより記録されるデータの一例を示す図である。図３に示す例では、ユーザＩＤおよび映像ＩＤの組に対応して、テキストデータの複数のエントリが記録されている。各エントリは、テキスト入力時間およびテキストデータを含んでいる。ユーザＩＤは、ユーザからの入力により、あるいは予め記録されたデータを読み込むことにより取得することができる。テキストデータ入力時間は、例えば、映像の再生開始点からテキストデータが入力された時点までの再生時間（経過時間）とすることができる。なお、テキストデータに対応する再生位置を示す情報は、前記のテキストデータ入力時間に限られない。例えば、映像データの先頭のフレームから、テキスト入力時に表示されていたフレームまでのフレーム数で、再生位置を表すこともできる。
【００３７】
Ｓ４において、再生部３は、テキスト受付部５ａ、５ｂが記録したテキストデータを記録媒体４から取得する。例えば、再生部３のテキスト制御部３１は、再生しようとする映像データの映像ＩＤに対応するテキストデータを全て読み出し、これらを結合して当該映像に関するテキスト群を含むデータを形成することができる。例えば、複数のユーザから、当該映像データに対するテキストデータの入力があった場合、複数のユーザから入力されたテキストデータが当該映像のテキスト群として対応付けられる。
【００３８】
図４は、映像に対応づけられた複数のユーザのテキストデータの一例を示す図である。図４に示す例では、映像ＩＤが「Ｍ００１」で入力されたテキストデータが対応付けられて記録される。各テキストデータとともに、テキスト入力時間、ユーザＩＤ、色、強調の有無を示すデータが対応づけられて記録されている。色および強調の有無を示すデータは、テキストの表示態様を表すデータの一例である。例えば、テキスト制御部３１は、ユーザごとに異なる色をテキストデータの色に自動的に割り当ててもよい。強調の有無については、初期値として強調なしを設定し、操作者から指定があった場合に強調ありとすることができる。
【００３９】
テキスト制御部３１は、このように映像ＩＤに対応づけられたテキストデータを、操作者が、表示／非表示の選択、色の指定、強調の指定を、テキストデータごとあるいは、ユーザごとにできるような態様で表示することができる。テキスト制御部３１は、操作者からの入力に基づいて、各テキストデータの表示の有無、色、強調の有無を決定する（Ｓ４）。
【００４０】
再生部３は、テキスト制御部３１の決定に従って、再生された映像とともにテキストデータを表示する（Ｓ５）。例えば、再生部３は、映像の再生時間が、あるテキストデータのテキスト入力時間に対応する時間に達すると、その後一定時間、映像にそのテキストデータを重ねて表示することができる。このとき、テキスト制御部３１が決定したテキストデータの色や強調等の表示態様に従って、テキストデータを表示することができる。また、テキスト制御部３１が非表示としたテキストデータは表示しない、すなわち、テキスト制御部３１が表示としたテキストデータのみ表示する態様とすることができる。
【００４１】
図５は、再生部３の動作例を示すフローチャートである。図５に示す例では、再生部３は記録媒体４から、再生対象の映像データに対応づけられたテキストデータを、テキスト入力時間、ユーザＩＤとともに、取得する（Ｓ２１）。テキスト制御部３１は、Ｓ２１で取得したテキストデータを選択可能な態様で時系列に表示する。このとき、各テキストデータに対応するユーザＩＤ（またはユーザ名）も選択可能な態様で表示することができる。操作者から、テキストデータの選択または、ユーザＩＤの選択があると（Ｓ２２でＹＥＳ）、選択に基づいて、表示するテキストを決定する（Ｓ２３）。
【００４２】
また、テキスト制御部３１は、ユーザごとに異なるテキストの色を、自動的に割り当て各テキストデータの色を示す情報を変更可能な態様で表示する。さらに、テキスト制御部３１は、各テキストデータのうち、強調する部分の指定を受け付けることもできる。このように、色の変更や、強調指示など、テキストデータの表示態様の入力が操作者からあった場合（Ｓ２４でＹＥＳ）、テキスト制御部３１は、入力に基づいて、表示態様を設定する（Ｓ２５）。色や強調表示などの表示態様を示すデータは、例えば、図４に示すようなデータで記録することができる。
【００４３】
再生部３は、映像を再生する（Ｓ２６）。再生部３は、映像の再生時間が、Ｓ２２で決定されたテキストデータのテキスト入力時間に達すると、再生映像に重ねてテキストデータを一定時間表示することができる。その際、再生部３は、Ｓ２４で設定された表示態様で、テキストデータを表示する。このようにして、再生部３は、テキスト制御部３１の制御に従って、テキストデータを表示することができる。
【００４４】
なお、再生部３の動作は上記例に限られない。例えば、テキスト制御部３１は、再生部３による映像の再生中に、操作者から、テキスト選択や、テキスト表示態様指示を受け付
け、再生中の映像にリアルタイムに反映させることもできる。また、操作者がテキストデータを入力可能としてもよい。例えば、テキスト制御部３１は、操作者から、映像データの再生前又は再生中に、テキストデータの入力を受け付けることもできる。これにより、操作者がコメントを書き込むことができる。
【００４５】
［実施形態の効果、および適用例等］
上記例では、映像提供部２が、適切な形式の映像データを記録し、テキスト受付部５ａ、５ｂで、各ユーザのテキストデータを受け付けて、再生部３にて、映像データを再生する際には、テキスト制御部３１が、操作者からの入力に応じて各ユーザのテキストデータ表示を制御する。このように、映像の記録、テキスト受付、テキスト制御を経て映像とテキストが再生されるので、より議論や考察を深めるのに適切な表示態様でテキストを表示することが可能になる。例えば、テキスト制御部３１により、複数のユーザから入力されたテキストデータについて、状況に応じて表示するテキストデータを絞ったり、どのユーザがどのテキストデータを入力したかを分かりやすくしたりすることが可能になる。
【００４６】
上記実施形態は、映像データに基づいて、議論や考察を深めたい場合に好適に用いることができる。例えば、現職教員研修会における、現職教員同士による実践映像の省察に基づいた職能成長（自己成長）をサポートするのに上記の映像再生システムを用いることができる。上記の映像再生システムにより、実践の振り返りコメント、コメントの共有、映像への描写が、より簡単に短時間で可能になる。
【００４７】
一例として、現職教員研修会では、公開授業（研究授業）を撮影して得られた映像データを、映像提供部２が、テキストデータ付与可能な形式で記録媒体４に記録する（Ｓ１、２）。現職教員研修会の参加者それぞれは、テキスト受付部５ａ、５ｂを介して、記録媒体４の映像データを見ながら、気づいたことを映像の時間軸と同調させて書き込み欄に書き込むことができ、書き込まれたデータは、テキスト受付部５ａ、５ｂにより、テキストデータとして記録される（Ｓ３）。再生部３は、各参加者が書き込んだテキストデータを取得し、それぞれのテキストデータを統合して、再生される映像上にテロップ形式で表示することができる（Ｓ４、Ｓ５）。すなわち、再生部３により、各参加者の映像に対するコメントが統合される。このとき、テキスト制御部３１により、主催者（操作者）が選択したテキストデータを映像とともに再生し表示することができる。また、参加者ごとにテキストデータの色を変えて表示することもできる。例えば、参加者である教員が多数の場合、書き込まれたコメントがどの教員のものかわからなくなる。そのため、コメントを書き込んだ教員ごとに色を変えて再生映像に描写することで、各コメントがどの教員によって書き込まれたかがわかりやすくなる。
【００４８】
また、再生部３において、操作者自らが、実践映像を見ながらテキストデータを入力可能な構成とすることもできる。この構成により、教員が一人で、自分の授業の映像を見ながらコメントを書き込んで描画することも可能である。
【００４９】
［システム構成の具体例］
図６は、映像再生システム１のより具体的な構成例を示す図である。図６に示す例では、映像提供部２、再生部３、テキスト受付部５ａおよびテキスト受付部５ｂがそれぞれ独立したコンピュータで構成されている。このように、映像提供部２、テキスト受付部５ａ、５ｂ、および再生部３をそれぞれのコンピュータで構成することで、映像を準備する者、テキストデータを入力するユーザ、映像の再生を操作する操作者が異なる場合であっても、それぞれが所有するコンピュータで作業することができる。
【００５０】
この場合、一例として、記録媒体４として、コンピュータに対して接続および取り外しが可能な記録装置を、テキストデータを入力するユーザの数だけ準備することができる。このような記録装置として、例えば、メモリカードやＵＳＢフラッシュメモリ等が挙げられる。まず、映像提供部２のコンピュータに各記録装置を接続して映像データを記録し、コメントを書き込むユーザに各記録装置をそれぞれ配布する。各ユーザは、それぞれテキスト受付部を備えるコンピュータに記録装置を接続して、記録装置に記録された映像データをコンピュータに再生させて、映像を見ながらテキストデータを入力することができる。
【００５１】
なお、映像提供部２は、各記録装置に、映像データに加えて、テキスト受付部の機能を実現するためのテキスト受付プログラムも記録することができる。この場合、コメントを書き込むユーザのコンピュータがテキスト受付部を備えていない場合であっても、記録装置に記録されたテキスト受付プログラムをコンピュータへインストールすることで、テキスト受付部をユーザのコンピュータに構成することができる。
【００５２】
各ユーザのコンピュータにより各記録装置にテキストデータが書き込まれた後、各記録装置を、再生部３のコンピュータへ接続することで、再生部３へ、各ユーザに入力されたテキストデータを集めることができる。
【００５３】
なお、映像再生システムの構成は、図６に示す例に限られない。例えば、映像提供部２および再生部３を１台のコンピュータで構成することもできる。また、図６に示す構成により、例えば、現職教員研修会で、参加者である教員各々が持ち寄ったコンピュータを用いて、研修会において撮影された授業の実践映像の映像データに対して各教員がそれぞれテキストデータを入力することができる。これにより、各教員の省察（振り返り）を、各教員のコンピュータで行い、その結果をまとめたものを、再生部のコンピュータが、主催者の操作に従って、映像とともに映すことができる。
【００５４】
図７は、映像再生システム１の他の具体的な構成例を示す図である。図７に示す例では、映像提供部２、再生部３、テキスト受付部５ａおよびテキスト受付部５ｂがそれぞれ独立したコンピュータで構成されている。これらのコンピュータは、ネットワークを介して、記録媒体４へアクセス可能となっている。記録媒体４は、例えば、ネットワークに接続されたサーバのストレージ等で構成することができる。このように、ネットワーク上の記録媒体４に、映像提供部２、再生部３、テキスト受付部５ａおよびテキスト受付部５ｂがアクセス可能な構成にすることによって、映像提供者、ユーザＡ，Ｂおよび再生操作者が互いに離れた場所にいる状態で、映像再生システム１を使用することができる。
【００５５】
また、図７に示す例では、ネットワークに接続されたサーバの記録媒体４にある映像データを、各ユーザＡ、Ｂのコンピュータがストリーミング機能を用いて再生することができる。ユーザＡ、Ｂは、ストリーミング機能を用いて再生される映像を見ながら、テキストデータを入力することができる。再生部３は、複数のユーザから入力されたテキストデータと、映像データとをセットにして１つのファイルを作成することができる。このファイルは、ネットワークに接続されたサーバの記録媒体４へ転送することができる。
【００５６】
構成の変形例として、再生部３およびテキスト受付部５ａまたは５ｂが１つのコンピュータで構成されてもよい。この場合、ユーザＡまたはＢと操作者は同じ人物になる。すなわち、映像に対してテキストデータを付加してコメントするユーザＡおよびユーザＢが、複数のユーザから入力されたコメントを映像とともに再生する操作者となり得る。
【００５７】
なお、ネットワークの形態は特定のものに限られない。例えば、インターネットおよび／またはイントラネットを含むものであってもよいし、ＩＰ網、電話回線網、移動体通信網またはこれらの組み合わせを含むものであってもよい。また、例えば、テキスト受付部５ａを構成するコンピュータも１台に限られず、ネットワーク上の複数のコンピュータでテキスト受付部５ａの機能を分散させることもできる。映像提供部２、再生部３およびテキスト受付部５ｂを構成するコンピュータも同様に複数のコンピュータで実現することができる。
【００５８】
図７に示す構成は、例えば、離れた地域にいる教員同士が研究授業などの実践映像を共有しながら研修を進める場合に好適に用いることができる。例えば、各教員は、いつでも、どこでも、ネットワークを介して、実践映像を見てコメントを書き込むことができる。そのため、離れた場所にいる教員同士が随時、実践映像を見合いながら、コメントを書き込み合い、ＷＥＢ上で、教員研修ができる仕組みを提供することができる。
【００５９】
（実施の形態２）
実施の形態２は、テキスト受付部およびテキスト制御部の変形例である。システムの構成は、図１と同様にすることができる。本実施形態は、テキスト受付部５ａ、５ｂが、ユーザから、テキストデータの入力とともに、予め設定された観点のうち少なくとも１つの選択を受け付ける。入力されたテキストデータと、選択された観点および再生位置が対応付けられて記録媒体４へ記録される。テキスト制御部３１は、再生部３が映像再生とともにテキストデータを表示する際に、観点ごとに、テキストデータの表示の有無または表示態様を制御する。
【００６０】
テキスト受付部５ａ、５ｂおよびテキスト制御部３１がアクセス可能な記録媒体４には、予め観点データが記録される。観点データには、ユーザが入力するテキストデータの情報がどのような観点のものかを表す情報を含めることができる。観点データには、複数の観点の情報が含まれる。テキスト受付部５ａ、５ｂは、ユーザが複数の観点のうち少なくとも１つを選択可能な状態で、観点データを表示することができる。
【００６１】
図８は、入力されたテキストデータを、選択された観点と対応付けて記録したデータの例を示す図である。図８に示す例では、映像ＩＤ「Ｍ００１」に対して、テキスト入力時間、内容、タイトル、ユーザＩＤ、観点ＩＤが対応付けて記録される。内容およびタイトルは、いずれもユーザから入力されたテキストデータの一例である。観点ＩＤは、観点を識別するデータである。例えば、図９に示すように、各観点ＩＤに観点の内容が記録される。
【００６２】
図１０は、映像データを再生するとともに、ユーザからのテキストデータ入力および観点の選択を受け付ける際の画面例を示す図である。図１０に示す画面には、映像を表示する映像表示領域１１が含まれる。映像表示領域１１の下には、映像の再生位置を表すステータスバー１３、再生／一時停止を指示するためのボタン１４、最初（先頭）からの再生を指示するためのボタン１５が表示される。映像表示領域１１の右には、コメント一覧を表示するための領域が配置される。この領域には、入力されたテキストデータの一覧を表示する表示欄１２が設けられる。表示欄１２には、テキストデータが入力された再生位置を示す時間、タイトル、登録日などが、テキストデータごとに一列ずつ表示される。表示欄１２のタイトルとしては、選択された観点を示すテキストと、タイトルとして入力されたテキストが連結されて表示されている。表示欄１２の内容は、この例に限られず、例えば、テキストデータを入力したユーザを示す情報等その他の情報が表示されてもよい。
【００６３】
また、図１０に示す例では、テキストデータの表示欄１２における表示順を選択するプルダウンメニューや、テキストデータを検索するためのキーワード入力欄、検索ボタン、キーワードのクリアボタン等が表示される。表示欄１２の下には追加ボタン１６が設けられる。ユーザが、追加ボタン１６をクリックすると、テキストデータを入力するための領域２０が表示される仕様とすることができる。
【００６４】
領域２０には、観点を選択するためのプルダウンメニュー１７、タイトル入力欄１８および内容入力欄１９、再生位置を時間で示す時間欄２１、テキストデータ入力作業の中止を指示するためのやめるボタン２２、入力したテキストデータの確認を指示するための確認ボタン２３が設けられる。プルダウンメニュー１７には、例えば、図９に示す観点データで示される複数の観点の情報が選択可能な状態で表示される。ユーザは、プルダウンメニュー１７で観点を選択し、タイトル入力欄１８および内容入力欄１９にテキストを入力して、確認ボタン２３をクリックする。テキスト受付部５ａ、５ｂは、確認ボタン２３クリック時にプルダウンメニュー１７で選択されていた観点を示すデータ、タイトル入力欄１８に入力されているテキストデータ、および内容入力欄１９に入力されているテキストデータを読み込む。テキスト受付部５ａ、５ｂは、読み込んだデータを、改めて表示してユーザからの確認を受けた後、例えば、図８に示すように、観点、タイトル、内容を互いに関連付けて記録する。
【００６５】
再生部３がテキストデータを映像データとともに再生する際の画面も、図１０に示す態様とすることができる。再生部３は、例えば、図１０に示すように、内容入力欄１９で入力されたテキストデータを、映像に重ね合わせて、対応する再生位置（再生時刻）にて表示することができる。テキスト制御部３１は、映像とともに表示されるテキストデータの表示態様を観点ごとに制御することができる。例えば、観点ごとにテキストデータの色またはフォントが異なるように表示することができる。或いは、テキストデータと同時に観点の内容も表示するようにしてよい。或いは、操作者から観点の選択を受け付けて、操作者が選択した観点のテキストデータのみを表示するようにしてもよい。なお、図１０に示すように、映像表示領域１１に映像とテキストデータを重ねて表示する代わりに、映像表示領域１１外に、テキストデータを、対応する再生時刻にて再生映像とともに表示することもできる。
【００６６】
このように、テキストデータの入力とともに観点の入力を受け付け、観点ごとにテキストデータの表示の有無または表示態様を制御することで、複数のユーザのコメントを観点ごとに整理して表示することができる。これにより、観点に沿って、さらなる考察や議論が深まりやすくなる。
【００６７】
なお、上記の観点データの内容、観点の選択を受け付けるユーザインタフェース、観点ごとのテキストデータの表示制御は一例であり、実施態様はこの例に限定されない。例えば、テキスト受付部５ａ、５ｂは、テキストデータの入力受け付け時に、すでに入力された他のテキストデータの選択を受け付け、他のテキストデータに入力されたテキストデータを対応づけて記録することもできる。テキスト制御部３１は、テキストデータ間の対応がわかる形式で映像とともに、テキストデータを表示することができる。
【００６８】
一例として、図１０に示す例では、表示欄１２に表示されているコメントの各行を選択可能な状態で表示し、選択された既存のコメントに対する返信として、テキストデータが入力できるようにすることができる。この場合、テキスト受付部５ａ、５ｂは、選択された既存のコメントのテキストデータと、入力されたテキストデータを対応付けて記録する。テキスト制御部３１は、入力されたテキストデータを、既存のテキストデータへの返信として表示することができる。
【００６９】
（実施の形態３）
図１１は、上記実施の形態１および２における映像提供部２の変形例を示す図である。図１１に示す例では、映像提供部２は、変換部２１と支援情報設定部２２を備える。変換部２１は、撮像装置６で撮影されて得られた映像データを、当該映像データの任意の再生位置にテキストデータを対応づけることが可能な形式の映像データに変換する。支援情報設定部２２は、映像を提供する操作者から、ユーザＡ、Ｂによるテキストデータ入力を支援する支援情報の入力を受け付け、当該支援情報を映像データに対応付けて記録媒体４へ記録する。
【００７０】
［変換部の例］
変換部２１は、撮像装置６で得られる映像データを、テキスト受付部５ａ、５ｂにおけるテキストデータの付加および、再生部３におけるテキスト制御を伴う再生処理に適した形式に変換することができる。例えば、変換部２１は、撮像装置６で得られるＭＰＥＧ形式のコンテナファイルフォーマットの映像データを取得し、取得した映像データのコンテナファイルフォーマットをＦＬＶ形式に変換することができる。これにより、テキストデータを任意の再生位置に挿入し、再生時にテキストデータを映像に重ねて表示する処理が容易になる。
【００７１】
また、変換部２１は、撮像装置６による撮影と、当該撮影で得られる映像データの変換処理を同時に実行することもできる。例えば、変換部２１は、撮像装置６から受け取ったＭＰＥＧ形式のパケットを、順次、ＦＬＶ形式のパケットに変換しながら、記録することができる。これにより、撮影終了とほぼ同時または撮影終了から短い時間で、変換処理も終了することができる。すなわち、映像データの準備が早くできる。これは、例えば、教員研修会で、公開授業終了後、一定時間（１５分〜３０分）後に収録した公開授業の映像を使用することが求められる場合に特に有効である。
【００７２】
使用形態の例として、映像提供部２を備えるコンピュータと、撮像装置６の一例であるビデオカメラとをケーブルで接続し、映像提供部２を稼動させる。これにより、ビデオカメラにてＭＰＥＧ形式で映像を収録しながら、収録しているＭＰＥＧ形式の映像を、コンピュータの変換部２１でＦＬＶ形式に同時変換して、映像データとして記録媒体４へ記録することができる。
【００７３】
［支援情報設定部の例］
支援情報設定部２２は、テキスト受付部５ａ、５ｂにおいて、例えば、ユーザＡ、Ｂが、コメントを書き込む観点に関する情報を、操作者からの入力を基に設定することができる。例えば、映像データが、教員研修会の公開授業の映像である場合、コメントのポイントは、教師の助言、発言、板書の仕方、時間配分である旨の情報を、支援情報として設定することができる。支援情報設定部２２は、映像提供の操作者から、このような支援情報となるテキストデータの入力を受け付けて、映像データに対応づけて記録することができる。例えば、映像ＩＤ、支援情報のテキストデータ、および映像データを対応付けて、記録媒体４に記録することができる。テキスト受付部５ａ、５ｂは、映像データを再生する前に、対応付けて記録された支援情報のテキストデータを、表示することができる。
【００７４】
あるいは、支援情報設定部２２は、操作者から、支援情報のテキストデータおよびテキストデータの再生位置を示す情報を受け付け、映像データの指定された再生位置にテキストデータを対応づけて記録してもよい。この場合、テキスト受付部５ａ、５ｂは、映像データを再生する際に、指定された再生位置で、映像とともに、支援情報のテキストデータを表示することができる。この場合、支援情報設定部２２は、映像データの記録と同時に、映像データを再生し、再生中にテキストデータ入力を受け付けることができる。テキストデータが入力されたときの再生位置を、操作者の指定する再生位置とすることができる。
【００７５】
このように、支援情報設定部２２により、テキスト受付部５ａ、５ｂにおけるテキストデータ入力の指針となる情報を設定することができる。その結果、入力されたテキストデータの内容を、より意味のあるものになるように導くことができる。すなわち、より深い議論や考察に資する内容のテキストデータの入力を促すことが可能になる。
【００７６】
［動作例］
図１２は、図１１に示す映像提供部２の動作例を示すフローチャートである。図１２に示す例では、撮像装置６が撮影を開始すると、映像提供部２は、撮像装置６から映像データを取得する（Ｓ１１）。変換部２１は、取得した映像データの変換の要否を判断（Ｓ１２）し、変換が必要（Ｓ１２でＹＥＳ）と判断した場合に、変換処理を行う（Ｓ１３）。変換部２１は、例えば、撮像装置６から受信した映像データのパケットのヘッダを参照し、映像データの形式を示す情報を得て、この形式を他の形式に変換が必要か否かを判断することができる。
【００７７】
また、支援情報設定部２２は、操作者から支援情報の入力がある（Ｓ１４でＹＥＳ）場合に、入力された支援情報を映像データに対応付けて記録する（Ｓ１５）。例えば、Ｓ１２、Ｓ１４双方でＹＥＳと判断された場合は、変換された映像データが、支援情報と対応付けられて記録媒体４へ記録される（Ｓ１６）。また、変換の必要もなく、支援情報の入力もない場合（Ｓ１２、Ｓ１４でＮＯの場合）は、撮像装置６から受信した映像データがそのまま記録される（Ｓ１６）。
【００７８】
なお、本実施形態は、図１１および図１２に示す例に限られない。例えば、映像提供部２は、変換部２１および支援情報設定部２２のいずれか一方を備える構成であってもよい。また、図１２に示す順番ではなく、支援情報設定と変換処理の順番を逆にすることもできる。
【産業上の利用可能性】
【００７９】
本発明は、映像再生システムにおいて、映像データおよびテキストデータを処理する技術として利用可能である。
【符号の説明】
【００８０】
１  映像再生システム
２  映像提供部
３  再生部
３１  テキスト制御部
４  記録媒体
５ａ、５ｂ  テキスト受付部
６  撮像装置
【図１】
2014053776.tif 000003
【図２】
2014053776.tif 000004
【図３】
2014053776.tif 000005
【図４】
2014053776.tif 000006
【図５】
2014053776.tif 000007
【図６】
2014053776.tif 000008
【図７】
2014053776.tif 000009
【図８】
2014053776.tif 000010
【図９】
2014053776.tif 000011
【図１０】
2014053776.tif 000012
【図１１】
2014053776.tif 000013
【図１２】
2014053776.tif 000014